(57)【要約】【課題】受信信号の周波数、変調諸元等を安価で迅速に分析できる受信装置を提供する。【解決手段】受信信号を分配する分配器３、分配された一方の受信信号を遅延する遅延線４、分配された他方の受信信号の周波数に応じた電圧を出力する周波数／電圧変換器８、周波数／電圧変換器８からの電圧値に応じてＬＯ（ローカル）発振器６が出力する発振信号の周波数を制御するＬＯ発振制御部９、遅延線４からの受信信号とＬＯ発振器６からの発振信号を混合して出力するミキサー５、ミキサー５からの信号の通過帯域を選択する帯域選択フィルタ７、帯域選択フィルタ７から出力される信号を検波する検波器１０、検波器１０からの信号に基づいて、受信感度が良好となるように帯域選択フィルタ７の帯域通過フィルタを選択し、受信信号を分析する信号処理器１１とを備える。【選択図】図１
2006166369.tif 000002
【特許請求の範囲】
【請求項１】
空中線が受信する受信信号を第１の受信信号および第２の受信信号に分配する分配器と、上記分配器により分配された上記第１の受信信号を所定時間遅延する遅延線と、上記分配器により分配された上記第２の受信信号の周波数を算出し、算出された周波数に応じた電圧を出力する周波数／電圧変換器と、上記周波数／電圧変換器からの電圧値に応じてローカル発振器が出力する発振信号の発振周波数を制御するローカル発振制御部と、上記遅延線により遅延された第１の受信信号と上記ローカル発振器が出力する発振信号を混合して中間周波信号を出力するミキサーと、異なる通過帯域特性有する複数の帯域通過フィルタを有し、上記ミキサーから出力される信号の通過帯域を選択する帯域選択フィルタと、上記帯域選択フィルタから出力される信号を検波する検波器とで構成された受信機と、
上記受信機の検波器から出力される信号に基づいて、受信感度が良好となるように上記帯域選択フィルタの帯域通過フィルタを選択し、受信信号を分析する信号処理器とを備えたことを特徴とする受信装置。
【請求項２】
上記遅延線が上第１の受信信号を遅延する所定時間は、上記第２の受信信号の周波数に応じた電圧を上記周波数／電圧変換器が出力し、更に上記周波数／電圧変換器の出力電圧値に応じて上記ローカル発振制御部が上記ローカル発振器を制御するのに必要な時間に設定されていることを特徴とする請求項１に記載の受信装置。
【請求項３】
上記分配器により分配された上記第２の受信信号の周波数を上記周波数／電圧変換器の帯域内に周波数変換する手段を備え、該手段により周波数変換された受信信号を上記周波数／電圧変換器に入力することを特徴とする請求項１に記載の受信装置。
【発明の詳細な説明】
【技術分野】
【０００１】
この発明は、レーダ等から送信される信号の周波数、変調諸元（パルス繰り返し周期、パルス幅）などを検出して分析する受信装置に関するものである。
【背景技術】
【０００２】
受信信号の周波数、変調諸元などを検出して分析する従来の受信装置としては、例えば、特開平７−１７７１０６号公報に示されたものがある。
特開平７−１７７１０６号公報に示された受信装置では、粗測系の広帯域受信機と精測系の狭帯域受信機の２つの受信機と信号処理器を有している。
まず、広帯域受信機は信号処理器からの指示のもとに、受信周波数範囲を順次選択してゆき、受信信号を受信した後、受信信号を周波数変換、帯域選択などの処理を行い、受信信号を検波して周波数を算出する。
その後、信号処理器にて広帯域受信機で検波した周波数に狭帯域受信機を同調させる。
そして、同調された狭帯域受信機にて受信した信号を精測して検波し、信号処理器にて周波数、変調諸元、振幅等の分析を行っている。
【特許文献１】特開平７−１７７１０６号公報（図１、段落０００６）
【発明の開示】
【発明が解決しようとする課題】
【０００３】
受信する信号の周波数、変調諸元などを検出して分析する従来の受信装置（例えば、特開平７−１７７１０６号公報に示されたような受信装置）では、広帯域受信機（粗測系）と狭帯域受信機（精測系）の２つの受信機で構成し動作されているため、回路規模が大きくなり、また高価となる問題点があった。
また、この従来の受信装置では、広帯域受信機と狭帯域受信機のそれぞれが信号処理器の指示のもとに、受信周波数範囲の選択、周波数変換、帯域選択をしているので時間がかかる。
さらに、従来の受信装置では、まず広帯域受信機で受信した受信信号の周波数を算出し、次に信号処理器がこの周波数に狭帯域受信機を同調させ、遅延線を介して送られてくる同時点の受信信号を狭帯域受信機で受信し、信号処理器にて受信信号の分析を行うので、信号処理に時間がかかり、受信信号の周波数、変調諸元（パルス繰り返し周期、パルス幅）、振幅などを迅速に検出することが難しいという問題点があった。
【０００４】
この発明は、上述のような問題点を解決するものになされたもので、安価で迅速に受信信号の周波数、変調諸元（パルス繰り返し周期、パルス幅）、振幅等を分析できる受信装置を提供することを目的とする。
【課題を解決するための手段】
【０００５】
この発明による受信装置は、空中線が受信する受信信号を第１の受信信号および第２の受信信号に分配する分配器と、上記分配器により分配された上記第１の受信信号を所定時間遅延する遅延線と、上記分配器により分配された上記第２の受信信号の周波数を算出し、算出された周波数に応じた電圧を出力する周波数／電圧変換器と、上記周波数／電圧変換器からの電圧値に応じてローカル（ＬＯ）発振器が出力する発振信号の発振周波数を制御するローカル（ＬＯ）発振制御部と、上記遅延線により遅延された第１の受信信号と上記ローカル（ＬＯ）発振器が出力する発振信号を混合して中間周波信号を出力するミキサーと、異なる通過帯域特性有する複数の帯域通過フィルタを有し、上記ミキサーから出力される信号の通過帯域を選択する帯域選択フィルタと、上記帯域選択フィルタから出力される信号を検波する検波器とで構成された受信機と、上記受信機の検波器から出力される信号に基づいて、受信感度が良好となるように上記帯域選択フィルタの帯域通過フィルタを選択し、受信信号を分析する信号処理器とを備えたものである。
【発明の効果】
【０００６】
この発明は、従来の受信装置のように広帯域受信機と狭帯域受信機の２つの受信機を用いることなく、１つの受信機と信号処理器にて受信信号を分析しているため、安価で迅速に受信信号の周波数、変調諸元、振幅等を分析できる受信装置を提供できる。
【発明を実施するための最良の形態】
【０００７】
以下、図面に基づいて、本発明の一実施の形態について説明する。
なお、各図間において、同一符号は同一あるいは相当のものであることを表す。
実施の形態１．
図１は、この発明の実施の形態１による受信装置の構成を示すブロック図である。
図において、１は空中線、２は受信機である。
受信機２は、空中線１が受信する受信信号を第１の受信信号と第２の受信信号に分配する分配器３、分配器３で分配された第１の受信信号を遅延させる遅延線４、遅延線４から出力される第１の受信信号の周波数を変換する第１のミキサー５、第１のミキサー５に掃引するＬＯ（ローカル）周波数信号を発振する第１のＬＯ（ローカル）発振器６、第１のミキサー５から出力される周波数変換された信号の通過帯域を選択する帯域選択フィルタ７、分配器３で分配された第２の受信信号が入力され、第２の受信信号の周波数に応じた電圧に変換する周波数／電圧変換器（FREQUENCY DISCRIMINATOR）８、周波数／電圧変換器８から出力する電圧に応じて第１のＬＯ発振器６の発振周波数を制御するＬＯ（ローカル）発振制御部（単に、ＬＯ制御部とも略す）９、帯域選択フィルタ７から出力される信号を検波する検波器１０で構成されている。
また、１１は受信機２の検波器１０から出力される信号に基づいて、受信信号の周波数、変調諸元、振幅などを分析する信号処理器である。
【０００８】
次に、本実施の形態による受信装置の動作について説明する。
空中線１で捕らえられた受信信号は、分配器３によって第１の受信信号と第２の受信信号に分配される。
周波数／電圧変換器８は、入力される第２の受信信号の周波数を算出して、算出された周波数に応じた電圧をLO（ローカル）発振制御部（９に出力する。
ＬＯ（ローカル）発振制御部９は、周波数／電圧変換器８から入力された電圧の値に応じて、第１のＬＯ（ローカル）発振器６が発振する発振信号の周波数を制御する。
また、LO（ローカル）発振制御部９での周波数の算出には、ＲＯＭなどに周波数／電圧変換器８の周波数に対する電圧値のデータを格納しておき、ＬＯ（ローカル）発振制御部９にて処理を行う。
【０００９】
一方、分配器３で分配された第１の受信信号は、同時に遅延線４へも入力され、遅延線４で一定時間遅延させてから周波数変換系へ入力される。
この遅延線４で遅延する時間は、周波数／電圧変換器８、ＬＯ（ローカル）発振制御部９および第１のＬＯ（ローカル）発振器６で構成されているＬＯ（ローカル）周波数制御系が、分析しようとした時点の当該信号の周波数を算出し、第１のＬＯ（ローカル）発振器６を制御するのに必要な時間（所定時間）に設定されており、これによって同一時点（即ち、分析しようとした時点）での入力信号の分析を可能とする。
遅延線４を通過した第１の受信信号は、第１のミキサー６に入力される。そして、第１のミキサー６は、ＬＯ発振制御部９によって制御される第１のＬＯ（ローカル）発振器が発振する発振信号と遅延線４からの第１の受信信号を混合して、第１の受信信号の周波数が帯域選択フィルタ７の中心周波数になるように周波数変換する。
周波数変換後の受信信号は、帯域選択フィルタ７によって受信機２が最適な感度となる帯域幅を通過する。
そして、検波器１０にて周波数変換後の受信信号を検波し、信号処理器１１にて受信信号の周波数、変調諸元、振幅などを分析する。
尚、帯域選択フィルタ７は、信号処理器１１にて制御され受信感度が最適なフィルタを選択する。
【００１０】
以上説明したように、本実施の形態による受信装置は、空中線１が受信する受信信号を第１の受信信号および第２の受信信号に分配する分配器３と、分配器３により分配された第１の受信信号を所定時間遅延する遅延線４と、分配器３より分配された第２の受信信号の周波数を算出し、算出された周波数に応じた電圧を出力する周波数／電圧変換器８と、周波数／電圧変換器８からの電圧値に応じて第１のＬＯ（ローカル）発振器６が出力する発振信号の発振周波数を制御するローカル発振制御部９と、遅延線４により遅延された第１の受信信号と第１のＬＯ（ローカル）発振器６が出力する発振信号を混合して中間周波信号を出力する第１のミキサー５と、異なる通過帯域特性有する複数の帯域通過フィルタを有し、第１のミキサー５から出力される信号の通過帯域を選択する帯域選択フィルタ７と、帯域選択フィルタ７から出力される信号を検波する検波器１０とで構成された受信機２と、受信機２の検波器１０から出力される信号に基づいて受信感度が良好となるように帯域選択フィルタ７の帯域通過フィルタを選択し、受信信号を分析する信号処理器１１とを備えている。
従って、本実施の形態による受信装置は、従来の受信装置のように広帯域受信機と狭帯域受信機の２つの受信機を用いることなく、１つの受信機と信号処理器にて受信信号を分析することが可能となるので、安価で迅速に受信信号の周波数、変調諸元、振幅等を分析できる。
【００１１】
また、本実施の形態による受信装置においては、遅延線４が第１の受信信号を遅延する所定時間は、第２の受信信号の周波数に応じた電圧を周波数／電圧変換器８が出力し、更に周波数／電圧変換器８の出力電圧値に応じてローカル発振制御部９が第１のＬＯ（ローカル）発振器６を制御するのに必要な時間に設定されている。
従って、本実施の形態による受信装置によれば、同一時点での入力信号の分析が可能となる。
【００１２】
実施の形態２．
図２は、この発明の実施の形態２による受信装置の構成を示すブロック図である。
図において、１２は第２のミキサー、１３は第２の第２のＬＯ（ローカル）発振器であって、本実施の形態による受信装置は、図１に示した実施の形態１による受信装置に対して、さらに第２のミキサー１２および第２のＬＯ発振器１３を付加したことによって、周波数／電圧変換器８の帯域外の受信信号が入力された場合にも対応することが可能としたことを特徴とする。
なお、遅延線４、第１のミキサー５、第１のＬＯ（ローカル）発振器６、帯域選択フィルタ７、検波器１０、信号処理器１１の動作は、前述の実施の形態１の場合と同じであるので、説明は省略する。
【００１３】
分配器３によって分配された第２の受信信号の周波数が周波数／電圧変換器８の帯域外の信号である場合に、分配器３からの第２の受信信号と第２のＬＯ（ローカル）発振器１３から出力される発振信号が第２のミキサー１２で混合され、周波数／電圧変換器８の帯域内の信号に周波数変換される。
そして、この第２のミキサー１２により周波数変換された信号が周波数／電圧変換器８に入力される。さらに、周波数／電圧変換器８は、第２のミキサー１２から入力された信号の周波数を算出し、算出された周波数に応じた電圧に変換し、変換された電圧値をＬＯ（ローカル）発振制御部９に出力する。
実施の形態１で説明したように、ＬＯ（ローカル）発振制御部９では、入力された電圧値から受信した信号の周波数を算出し、第１のＬＯ発振器６の周波数を帯域選択フィルタ７の中心周波数になるように制御して、周波数変換系にLO周波数を掃引する。
また、ＬＯ（ローカル）発振制御部９での周波数の算出には、ＲＯＭなどに周波数／電圧変換器８の周波数に対する電圧値のデータを格納しておき、ＬＯ（ローカル）発振制御部９にて処理を行う。
【００１４】
実施の形態１と同様に、空中線１で捕らえられ、分配器３で分配された第１の受信信号は、同時に遅延線４へも入力され、遅延線４で一定時間遅延させてから周波数変換系へ入力される。
なお、この遅延線４で遅延する時間は、第２のミキサー１２が分配器３によって分配された第２の受信信号を周波数／電圧変換器８の帯域内の信号に周波数変換するのに要する時間、周波数／電圧変換器８が入力された信号の周波数を算出し、算出された周波数に応じた電圧値を出力する時間および第１のＬＯ（ローカル）発振器６を制御するのに必要な時間に設定されており、これにより同一時点での入力信号の分析を可能とする。
遅延線４を通過した第１の受信信号は、第１のミキサー６に入力される。そして、第１のミキサー６は、ＬＯ（ローカル）発振制御部９によって制御される第１のＬＯ（ローカル）発振器が発振する発振信号と遅延線４からの第１の受信信号を混合し、第１の受信信号の周波数が帯域選択フィルタ７の中心周波数になるように周波数変換する。
周波数変換後の受信信号は、帯域選択フィルタ７によって、受信機２が最適な感度となる帯域幅を通過し、検波器１０にて周波数変換後の受信信号を検波し、信号処理器１１にて受信信号の周波数、変調諸元、振幅などを分析する。
尚、帯域選択フィルタ７は、信号処理器１１にて制御され受信感度が最適なフィルタを選択する。
【００１５】
以上説明したように、本実施の形態による受信装置は、実施の形態１による受信装置において、更に分配器３により分配された第２の受信信号の周波数を周波数／電圧変換器８の帯域内に周波数変換する手段（即ち、第２のミキサー１２および第２のＬＯ発振器１３）を備え、該手段により周波数変換された受信信号を周波数／電圧変換器８に入力するように構成している。
このように、本実施の形態による受信装置は、第２の受信信号の周波数を周波数／電圧変換器８の帯域内となるように周波数変換するので、実施の形態１による受信装置の場合よりもさらに広帯域な受信信号についても、安価で迅速に受信信号の周波数、変調諸元、振幅等を分析できる。
【産業上の利用可能性】
【００１６】
この発明は、レーダ等から送信される信号の諸元を高感度で検出し、分析する受信装置の実現に好適である。
【図面の簡単な説明】
【００１７】
【図１】この発明の実施の形態１による受信装置の構成を示すブロック図である。
【図２】この発明の実施の形態２による受信装置の構成を示すブロック図である。
【符号の説明】
【００１８】
１  空中線                  ２  受信機                ３  分配器
４  遅延線                  ５  第１のミキサー        ６  第１のＬＯ発振器
７  帯域選択フィルタ        ８  周波数／電圧変換器
９  ＬＯ（ローカル）発振器制御部（ＬＯ制御部）
１０  検波器                １１  信号処理器            
１２  第２のミキサー        １３  第２のＬＯ発振器
【図１】
2006166369.tif 000003
【図２】
2006166369.tif 000004